(57)【特許請求の範囲】
【請求項１】
ケース本体の庫内側に装備の電装品に接続した配線束を、本体ケースの外箱に穿孔した配線引出し口を通して庫外側に引き出すとともに、該配線引出し口を内外からパテで封止した冷凍・冷蔵ショーケースにおいて、前記配線引出し口の庫外側周縁部に断熱板を貼着した上で配線束の貫通部をパテで覆い、さらに庫外側のパテの上から断熱材製の防露キャップを被着したことを特徴とする冷凍・冷蔵ショーケース。
【請求項２】
請求項１記載のショーケースにおいて、防露キャップが可撓性のある樹脂，ないしゴムの成形品であり、その内面に接着剤を塗布するとともに、キャップ周面には配線束へ差し込むためのスリット状の切り込みを入れたことを特徴とする冷凍・冷蔵ショーケース。
【請求項３】
請求項２記載のショーケースにおいて、防露キャップを被着した上で、該キャップの配線束貫通部を外側から締結部材で緊縛したことを特徴とする冷凍・冷蔵ショーケース。
【発明の詳細な説明】
【０００１】
【発明の属する技術分野】
本発明は、冷凍・冷蔵ショーケース、詳しくはケース本体を貫通して配線束を庫内から庫外に引出す配線引出し口の封止構造に関する。
【０００２】
【従来の技術】
図３にこの発明の実施対象となる冷凍・冷蔵ショーケース（オープンショーケース）の構成を示す。図において、１はショーケースの本体ケースの外箱（断熱筐体）、２は内箱、３は外箱１の船底部前面を覆ったフロントパネル、４は商品陳列棚、５は冷却器、６は庫内ファン、７は庫内照明灯、８はコントロールボックス、９はフロントパネル３の裏面側に配置した配線用の端子ボックスであり、外箱２の船底部の前壁部分を貫通して配線引出し口１０が開口しており、この引出し口１０を通して庫内側の各種電装品に接続した配線束（ハーネス）１１を庫外側に引出した上で前記の端子ボックス９に接続して給電するようにしている。なお、本体ケースの外箱１は内外のパネル間に断熱材としての発泡樹脂を充填したサンドイッチ構造の断熱壁で構築されている。
【０００３】
次に、前記した配線引出し口１０の従来における封止構造を図４(a),(b) に示す。すなわち、外箱２を貫通した配線引出し口１０には配線束１１を通す円筒状のフランジ付きスリーブ（板金製）１２が嵌着されており、配線束１１にはクッション性のあるリング状の断熱スペーサ１３を被せた上で配線引出し口１０に通し、さらに内外からパテ１４を団子状に充填して配線引出し口１０における配線束１１の貫通部を封止するようにしている。
【０００４】
【発明が解決しようとする課題】
ところで、前記した配線引出し口を封止する従来構造では、ショーケースの稼働中にフロント側に配した端子ボックス内で漏電事故が発生した事例が報告されている。
この点について、発明者等は漏電事故の発生原因について究明したところ、その原因が次記の点にあることが判明した。すなわち、図４(a) に示した従来構造では、庫内側の冷熱が配線引出し口１０に嵌着した金属製のスリーブを伝熱して庫外側を封止するパテ１４を冷し、このために外気と直接触れ合うパテ１４の表面に結露が生じる。しかも、ここに発生した結露は水滴１５となってパテ１４の表面から配線束１１を伝わって流下し、図３に示した端子ボックス９の中に侵入して端子を濡らし、これが原因で漏電事故が発生する。
【０００５】
この発明は上記の点に鑑みなされたものであり、前記した漏電発生原因の考察結果を基に配線引出し口の封止構造を改良し、該部での結露発生に起因する漏電事故を防止するような対策を施した冷凍・冷蔵ショーケースを提供することを目的とする。
【０００６】
【課題を解決するための手段】
上記目的を達成するために、この発明によれば、ケース本体の庫内側に装備の電装品に接続した配線束を、本体ケースの外箱に穿孔した配線引出し口より庫外側に引き出して端子ボックスに接続し、かつ配線引出し口を内外からパテで封止した冷凍・冷蔵ショーケースにおいて、前記配線引出し口の庫外側周縁部に断熱板を貼着した上で配線束の貫通部をパテで封止するとともに、さらにパテの上から断熱材製の防露キャップを被着するものとし、ここで防露キャップは具体的には次記のうような形態で構成する。
【０００７】
(1) 前記の防露キャップを可撓性のある樹脂，ないしゴムの成形品で作り、その内面に接着剤を塗布するとともに、キャップ周面には配線束へ差し込むためのスリット状切り込みを入れた構造とする。
(2) 防露キャップを被着した上で、該キャップの配線束貫通部を外側から締結部材で緊縛する。
【０００８】
かかる構成によれば、配線引出し口の庫外側から封止するパテと本体ケースの外箱との間には断熱板が介装されているので、庫内側から伝熱して来る冷熱が断熱板で遮熱され、庫外側の封止パテに対する冷えが抑えられる。また、この部分でパテの表面は断熱性の防露キャップで覆われていて外気に直接触れることがなく、これにより庫外側のパテの表面に結露の発生することが抑制され、その結果として結露水に起因する端子ボックス内での漏電事故発生を確実に防ぐことができる。
【０００９】
また、防露キャップの内面に接着剤を塗布しておくことで、キャップをパテの表面に密着させることができ、またキャップにスリット状の切り込みを入れておくことでキャップを簡単に装着できる。さらに、防露キャップの被着後にその配線束の貫通部を締結部材（インシュロック）で緊縛することにより、太さの異なる配線束にも対応できる。
【００１０】
【発明の実施の形態】
以下、この発明の実施の形態を図１，図２に示す実施例に基づいて説明する。なお、実施例の図中で図４に対応する同一部材には同じ符号が付してある。
まず、図１において、ケース本体の外箱１に対し、その配線引出し口１０の庫外側開口部には金属製スリーブ１２のフランジ面を覆って断熱材で作られたリング状の断熱板１５が貼着されている。また、この断熱板１５の上にパテ１４を盛りつけて配線束１１の貫通部を封止しており、さらにパテ１４の表面を覆うように防露キャップ１６が被着されている。なお、配線束１１が外箱１の配線引出し口１０を貫通する部位には、図４と同様にリング状の断熱スペーサ１３が配線束１１に被着されている。
【００１１】
ここで、前記の防露キャップ１６は可撓性のある樹脂，もしくはゴムなどの成形品で作られたものであり、その形状は図２(a),(b) で示すように中央に配線束１１を通す穴１６ａが開口した碗状体になる。また、防露キャップ１６の内面全域には接着剤１６ｂが塗布されており、さらに周面には軸方向にスリット状の切り込み１６ｃが入れてある。
【００１２】
そして、防露キャップ１６をパテ１４に上に被着する場合には、その周面に形成した前記の切り込み１６を広げて被せ、その内面に塗布しておいた接着剤１６ｂで配線束１１，パテ１４，および断熱板１５に接合する。さらに、配線束１１が貫通する防露キャップ１６の首状端部を外周側からインシュロック（締結紐）１７で緊縛し、配線束１１にしっかりと固定する。
【００１３】
かかる構成により、外箱１の庫外側に貼着した断熱板１５が庫内側からスリーブ１２を伝熱して来る冷熱を遮熱し、庫外側のパテ１４の冷えを抑止する。また、庫外側でパテ１４の上に被せた防露キャップ１６がパテ１４と外気との直接の接触を絶つ。これにより、配線引出し口の封止部に結露の発生することが効果的に抑制される。
【００１４】
【発明の効果】
以上述べたように、この発明の構成によれば、ケース本体の外箱を貫通して庫内側から庫外へ引出した配線束の封止部分に結露が発生することがなくなり、これによ従来の配線引出し口封止構造で問題となっていた結露の発生，および結露水の侵入に起因して端子ボックス内で生じる漏電事故を確実に予防することができて冷凍・冷蔵ショーケースの安全性，信頼性が向上する。
【図面の簡単な説明】
【図１】この発明の実施例によるショーケースの配線引出し口構造の断面図
【図２】図１における防露キャップの構成図であり、(a) は端面図、(b) は一部断面側視図
【図３】この発明の実施対象となる冷凍・冷蔵ショーケース全体の概要構成図
【図４】従来におけるショーケースの配線引出し口構造を表す図であり、(a) は断面図、(b) は配線束に断熱スペーサを取付けた状態の斜視図
【符号の説明】
１    本体ケースの外箱
９    端子ボックス
１０    配線引出し口
１１    配線束
１４    パテ
１５    断熱板
１６    防露キャップ
１６ｂ  接着剤
１６ｂ  スリット状切り込み
【図１】
0003651168.tif 000002
【図２】
0003651168.tif 000003
【図３】
0003651168.tif 000004
【図４】
0003651168.tif 000005